(57)【要約】【課題】ＩＣタグ等の情報部材が破損するおそれを低減し、収容されている制御基板に対する不正が行われたか否かの判断も容易にかつ確実に確認しやすくした基板収容ボックスを提供する。【解決手段】基板収容ボックス６０はケース体６１とカバー体６２とを互いに被着してなり、ケース体とカバー体に各々設けられた封止部であるケース体封止部７０又はカバー体封止部８０のいずれかを切断あるいは破壊することによりケース体とカバー体との封止状態を解除する封止手段ＳＡと、制御基板の情報が含まれケース体に取り付けられる情報部材１１０と、これを被覆する情報部材保護カバー６３を備え、封止手段１００によりケース体とカバー体とを封止するときにケース体及びカバー体に各々設けられた封止部と情報部材保護カバーに形成された保護カバー封止部９０とを封止可能な位置とする。【選択図】図４
2010119565.tif 000002
【特許請求の範囲】
【請求項１】
制御基板を収容するケース体と、前記ケース体に被着されるカバー体とを有してなる基板収容ボックスにおいて、
前記基板収容ボックスは、前記ケース体と前記カバー体とを互いに被着し、前記ケース体と前記カバー体に各々設けられた封止部のうち少なくともいずれかを切断あるいは破壊することにより前記ケース体と前記カバー体との封止状態を解除する封止手段と、
前記制御基板の情報が含まれ、前記ケース体又は前記カバー体のいずれかの一にもしくは前記ケース体及び前記カバー体の両方を跨いだ位置に取り付けられる情報部材と、
前記情報部材を被覆する情報部材保護カバーとを備えており、
前記情報部材保護カバーは前記情報部材を被覆するように前記カバー体又は前記ケース体のいずれか一に取り付けられ、前記封止手段により前記ケース体と前記カバー体とを封止するときに前記ケース体及び前記カバー体に各々設けられた封止部と前記情報部材保護カバーに形成された封止部とを封止可能な位置としていることを特徴とする基板収容ボックス。
【請求項２】
前記ケース体に設けられたケース体封止部と前記カバー体に設けられたカバー体封止部が備えられていると共に、前記ケース体封止部もしくは前記カバー体封止部のいずれか一方から他方に向けて封止部材を挿入することによって前記カバー体と前記ケース体とが封止され、さらに、前記情報部材保護カバーの封止部には前記封止部材の挿入によって封止される保護カバー封止部が備えられ、
前記保護カバー封止部は前記ケース体封止部及び前記カバー体封止部に対して配置されており、前記封止部材の挿入によって前記ケース体封止部、前記カバー体封止部、及び前記保護カバー封止部が封止されることを特徴とする請求項１に記載の基板収容ボックス。
【請求項３】
前記封止部材の挿入によって前記ケース体封止部、前記カバー体封止部、及び前記保護カバー封止部が封止されている状態において、前記カバー体または前記ケース体の少なくともいずれか一方に形成された切断部と前記情報部材カバーに形成された保護カバー切断部の両方を切断することにより、前記ケース体と前記カバー体との封止状態が解除されることを特徴とする請求項２に記載の基板収容ボックス。
【請求項４】
前記封止部材の挿入によって前記ケース体封止部、前記カバー体封止部、及び前記保護カバー封止部が封止されている状態において、前記保護カバー封止部の少なくとも封止されている部分が、前記ケース体と前記カバー体とを被着してなる基板収容ボックス内に設けられていることを特徴とする請求項２又は３に記載の基板収容ボックス。
【発明の詳細な説明】
【技術分野】
【０００１】
この発明は、制御基板を収容するための基板収容ボックスに関する。
【背景技術】
【０００２】
近年、ＩＣタグ等の情報記憶素子を付した機器等の情報管理がより容易となっている。例えば、遊技機にＩＣタグを取り付けて遊技機の異常の有無を監視する遊技機監視システムが提案されている（特許文献１参照）。特に、特許文献１では、一例として基板収容ボックスへＩＣタグを貼り付ける利用形態が提案されている。
【０００３】
パチンコ遊技機等の遊技機の場合、ＣＰＵ，ＲＯＭ，ＲＡＭその他の電子部品が装着された主制御基板等の制御基板を収容する基板収容ボックスが遊技盤に備えられている。基板収容ボックスは、制御基板を収容するケース体とケース体を被着するカバー体とからなり、ケース体とカバー体は互いに合着封止されている。
【０００４】
ＩＣタグ等は、遊技機の監視に加えて、基板収容ボックス内に収容されている制御基板の製造、販売、検査の情報やその履歴等も記憶可能であることから基板収容ボックスに対する不正行為への抑止効果が期待されている。特許文献１に開示の基板収容ボックスの場合、ＩＣタグは基板収容ボックスの表面（ケース体とカバー体とを跨ぐ位置）に貼り付けられているだけである。そのため、ＩＣタグは基板収容ボックスの外側に露出していることから、遊技機の点検時や交換時に破損するおそれがある。
【０００５】
また、基板収容ボックス内の制御基板を取り出し、そのＲＯＭを付け替える等の不正改造を行いもとの制御基板を戻す等の不正行為がある。この場合、ＩＣタグを備えたシートを巧妙に剥がして基板収容ボックスを開封し、元通りにそのシートを貼り直すことが考えられる。従って、遊技機を検査する者はＩＣタグを確認するのみでは当該基板収容ボックス内の制御基板に対し不正が行われたか否かを容易に判断することは困難である。
【特許文献１】実用新案登録第３１４０７５１号公報
【発明の開示】
【発明が解決しようとする課題】
【０００６】
本発明は、前記の点に鑑みなされたものであり、ＩＣタグ等の情報部材が破損するおそれを低減し、同時に、収容されている制御基板に対する不正が行われたか否かの判断も確認しやすくした基板収容ボックスを提供する。
【課題を解決するための手段】
【０００７】
すなわち、請求項１の発明は、制御基板を収容するケース体と、前記ケース体に被着されるカバー体とを有してなる基板収容ボックスにおいて、前記基板収容ボックスは、前記ケース体と前記カバー体とを互いに被着し、前記ケース体と前記カバー体に各々設けられた封止部のうち少なくともいずれかを切断あるいは破壊することにより前記ケース体と前記カバー体との封止状態を解除する封止手段と、前記制御基板の情報が含まれ、前記ケース体又は前記カバー体のいずれかの一にもしくは前記ケース体及び前記カバー体の両方を跨いだ位置に取り付けられる情報部材と、前記情報部材を被覆する情報部材保護カバーとを備えており、前記情報部材保護カバーは前記情報部材を被覆するように前記カバー体又は前記ケース体のいずれか一に取り付けられ、前記封止手段により前記ケース体と前記カバー体とを封止するときに前記ケース体及び前記カバー体に各々設けられた封止部と前記情報部材保護カバーに形成された封止部とを封止可能な位置としていることを特徴とする基板収容ボックスに係る。
【０００８】
請求項２の発明は、前記ケース体に設けられたケース体封止部と前記カバー体に設けられたカバー体封止部が備えられていると共に、前記ケース体封止部もしくは前記カバー体封止部のいずれか一方から他方に向けて封止部材を挿入することによって前記カバー体と前記ケース体とが封止され、さらに、前記情報部材保護カバーの封止部には前記封止部材の挿入によって封止される保護カバー封止部が備えられ、前記保護カバー封止部は前記ケース体封止部及び前記カバー体封止部に対して配置されており、前記封止部材の挿入によって前記ケース体封止部、前記カバー体封止部、及び前記保護カバー封止部が封止されることを特徴とする請求項１に記載の基板収容ボックスに係る。
【０００９】
請求項３の発明は、前記封止部材の挿入によって前記ケース体封止部、前記カバー体封止部、及び前記保護カバー封止部が封止されている状態において、前記カバー体または前記ケース体の少なくともいずれか一方に形成された切断部と前記情報部材カバーに形成された保護カバー切断部の両方を切断することにより、前記ケース体と前記カバー体との封止状態が解除されることを特徴とする請求項２に記載の基板収容ボックスに係る。
【００１０】
請求項４の発明は、前記封止部材の挿入によって前記ケース体封止部、前記カバー体封止部、及び前記保護カバー封止部が封止されている状態において、前記保護カバー封止部の少なくとも封止されている部分が、前記ケース体と前記カバー体とを被着してなる基板収容ボックス内に設けられていることを特徴とする請求項２又は３に記載の基板収容ボックスに係る。
【発明の効果】
【００１１】
請求項１の発明に係る基板収容ボックスによると、基板収容ボックスは、ケース体とカバー体とを互いに被着し、前記ケース体と前記カバー体に各々設けられた封止部のうち少なくともいずれかを切断あるいは破壊することにより前記ケース体と前記カバー体との封止状態を解除する封止手段と、前記制御基板の情報が含まれ、前記ケース体又は前記カバー体のいずれかの一にもしくは前記ケース体及び前記カバー体の両方を跨いだ位置に取り付けられる情報部材と、前記情報部材を被覆する情報部材保護カバーとを備えており、前記情報部材保護カバーは前記情報部材を被覆するように前記カバー体又は前記ケース体のいずれか一に取り付けられ、前記封止手段により前記ケース体と前記カバー体とを封止するときに前記ケース体及び前記カバー体に各々設けられた封止部と前記情報部材保護カバーに形成された封止部とを封止可能な位置としているため、ＩＣタグ等の情報部材が破損するおそれを低減し、同時に、収容されている制御基板に対する不正が行われたか否かの判断も確認しやすくすることができる。
【００１２】
請求項２の発明に係る基板収容ボックスによると、請求項１の発明において、前記ケース体に設けられたケース体封止部と前記カバー体に設けられたカバー体封止部が備えられていると共に、前記ケース体封止部もしくは前記カバー体封止部のいずれか一方から他方に向けて封止部材を挿入することによって前記カバー体と前記ケース体とが封止され、さらに、前記情報部材保護カバーの封止部には前記封止部材の挿入によって封止される保護カバー封止部が備えられ、前記保護カバー封止部は前記ケース体封止部及び前記カバー体封止部に対して配置されており、前記封止部材の挿入によって前記ケース体封止部、前記カバー体封止部、及び前記保護カバー封止部が封止されるため、ケース体と、カバー体と、情報部材保護カバーとの封止を一括して行うことができる。
【００１３】
請求項３の発明に係る基板収容ボックスによると、請求項２の発明において、前記封止部材の挿入によって前記ケース体封止部、前記カバー体封止部、及び前記保護カバー封止部が封止されている状態において、前記カバー体または前記ケース体の少なくともいずれか一方に形成された切断部と前記情報部材カバーに形成された保護カバー切断部の両方を切断することにより、前記ケース体と前記カバー体との封止状態が解除されるため、不正を働く者が基板収容ボックスを開けようとする場合、各々の切断部を切断、破壊することになるため、切断や破壊の痕跡が残り、不正行為を早期に発見することができる。そのため、不正行為に対する抑止力となり得る。
【００１４】
請求項４の発明に係る基板収容ボックスによると、請求項２又は３の発明において、前記封止部材の挿入によって前記ケース体封止部、前記カバー体封止部、及び前記保護カバー封止部が封止されている状態において、前記保護カバー封止部の少なくとも封止されている部分が、前記ケース体と前記カバー体とを被着してなる基板収容ボックス内に設けられているため、保護カバー封止部の保護性能は高まり、外部からの不正行為されにくくなる。
【発明を実施するための最良の形態】
【００１５】
以下添付の図面に従ってこの発明を詳細に説明する。
図１はこの発明の一実施例に係る遊技機全体の正面図、図２は同遊技機全体の裏面図、図３は基板収容ボックスの斜視図、図４は図３の矢印Ｋ部分を示す拡大図、図５は基板収容ボックスの第１分解斜視図、図６は基板収容ボックスの第２分解斜視図、図７は図５の矢印Ｌ部分を示す拡大図、図８は保護カバー封止部の拡大図、図９は基板収容ボックスの封止手段を示す主要部断面図、図１０は情報部材を取り付ける位置の他の実施例に係る主要部断面図である。
【００１６】
この発明の基板収容ボックスが用いられる機器として、パチンコ遊技機を例に説明する。図１に示す遊技機１（弾球遊技機）は、枠体２の内側に遊技盤３が着脱交換可能に収容され、その遊技盤３に遊技球の外側誘導レール４及び内側誘導レール５が略円形に立設され、遊技盤３の外側誘導レール４と内側誘導レール５によって囲まれた遊技領域６の中心線上にその上部から下部に向かって順に画像表示装置９、普通電動役物である始動入賞口１０、特別電動役物である大入賞口１５、アウト口（排出口とも称される。）１７が配設されている。画像表示装置９の上方両側にはランプ風車１８ａ，１８ｂ、下方に普通図柄変動開始用左ゲート１９と普通図柄変動開始用右ゲート２１、さらにその下方に風車２２ａ，２２ｂが備えられる。始動入賞口１０の左右に左袖入賞口２３と右袖入賞口２５、大入賞口１５の両側に左落とし入賞口２７と右落とし入賞口２９が配設されている。
【００１７】
また、枠体２の前面側には、払い出された遊技球を受け、遊技者の発射操作に応じて遊技球を遊技盤３の遊技領域６に向けて発射する発射装置Ｈ及び当該発射装置Ｈに遊技球を供給する上側遊技球貯留皿３１、この上側遊技球貯留皿の飽和時に遊技球を受けるための下側遊技球貯留皿３２、遊技状態を報知するランプ表示器３３，３４、音声や効果音を発して遊技状態を遊技者に報知するスピーカ８がそれぞれ組み付けられている。
【００１８】
図中の画像表示装置９は、液晶表示盤等の画像表示部からなる図柄表示装置であり、図示はしないが特別図柄及び普通図柄が表示される。前記図柄表示装置を構成する画像表示部は、前記のような液晶表示盤に限られるものではなく、ＬＥＤ、有機ＥＬ、ＣＲＴやその他の表示装置で構成されていてもよい。
【００１９】
図２に示すように、遊技機１の遊技盤の裏面側には、該遊技盤の前面側に配設された画像表示装置９の画像表示部への図柄等の表示制御を行う図柄制御基板５７、同じく遊技盤の前面側である遊技領域６に配設された入賞口に入球した遊技球を集合させる集合路を有する集合板（図示せず）が設けられている。
【００２０】
また、図２の符号４０は遊技球（パチンコ球）を貯留する貯留タンク、４１はタンクレール、４２は枠用外部出力端子基板、４３はランプ中継基板、４４は受電基板、４５は賞球センサ中継基板、４６は盤面用外部出力端子基板、４７は中継基板、４８は音声制御基板、４９はＦＧ中継基板、５０は主制御基板、５１は電源基板、５２はサブ制御基板、５３は払出制御基板、５４は発射装置制御基板、５５はカードインターフェイス接続部、５６は電源プラグ、５７は図柄制御基板、Ｇは接地線、６０は基板収容ボックスである。なお、符号５９は発光制御基板でありサブ制御基板５２と一体化されている。前記の主制御基板５０は基板収容ボックス６０内に封入される。
【００２１】
図３ないし図９を用い、実施例の基板収容ボックス６０及びその封止手段ＳＡの構造について説明する。図３は基板収容ボックス６０を遊技機１の裏面側から取り外し示して示す斜視図であり、ケース体６１の上側にカバー体６２が被着され双方合着している状態である。また図４は封止手段ＳＡの拡大図である。基板収容ボックスの内部には各種制御基板を収容可能としており、この実施例の基板収容ボックスは遊技機の遊技に関する制御を行う主制御基板５０（図２参照）の収容に用いられる。
【００２２】
実施例の遊技機の場合、主制御基板には図示しないＣＰＵ、ＲＯＭ、ＲＡＭ等が装着され、そのＲＯＭに大当たり確率、賞球数、確率変動状態の発生頻度等の遊技進行に関連するデータや遊技のプログラムが書き込まれている。主制御基板に対する不正な改変は本来の遊技進行を乱し、賞球数を狂わせてしまうことから問題視されている。
【００２３】
そのような経緯から、主制御基板に関する遊技機の製造時（出荷時）や販売時、点検時における部品情報、検査情報、点検情報等やその履歴を記憶、保持しておくため、例えば、ＩＣタグ等の情報部材が利用されつつある。特に、ＩＣタグ等の情報部材を主制御基板（収容ボックス）に貼り付け可能となったため、直接、個々の主制御基板毎に部品、検査、点検、その履歴の情報を保持、管理できるようになり、確認精度や点検効率の向上に貢献している。情報部材のうち、ＩＣタグには公知のＲＦＩＤ等の非接触により情報を送受信可能とするアンテナや回路が組み込まれている。実施例における情報部材はＩＣタグ１１０である。むろん、ＩＣタグの形状、方式、規格等は適宜である。
【００２４】
この実施例では、ＩＣタグ１１０（情報部材）はカバー体６２の左端側の上面に取り付けられ、その上に、ＩＣタグ１１０を被覆するＩＣタグカバー（情報部材保護カバー）６３は、当該ＩＣタグの直上に備えられる。このため、ＩＣタグが直接基板収容ボックスの外部に露出することなく、ＩＣタグは損傷から保護される。
【００２５】
基板収容ボックス６０のケース体６１及びカバー体６２と共にＩＣタグカバー６３も一括して封止されるため、基板収容ボックス６０のケース体６１とカバー体６２の各々には封止部が設けられている。図４の実施例に示しているように、ケース体６１にはケース体封止部７０、カバー体６２にはカバー体封止部８０が設けられる。さらに、情報部材保護カバー６３には後に詳述する保護カバー封止部９０が備えられる。これらの封止部は封止部材となる後出の封止ピン１００（図５等参照）により封止され、封止ピンと各封止部より封止手段ＳＡは構成される。図３において、符号ＳＢは、ＩＣタグカバー（保護カバー封止部）が設けられていないケース体封止部７０、カバー体封止部から構成される封止手段であり、図４の符号７７はピン受け部、７８はピン挿入口、１０１は封止ピンのキャップである。
【００２６】
図５は基板収容ボックス６０の左側（封止手段ＳＡの外側）から、図６はその右側（封止手段ＳＡの内側）からの分解斜視図である。はじめにケース体６１に設けられているケース体封止部７０から説明する。ケース体封止部７０には、長尺状の取付台座部７１と、金属製の板部材７２が含まれる。板部材７２は取付台座部７１の中に収容され、板部材７２の端部７６は取付台座部の挟持部７５に挟持されて双方は固定される。取付台座部７１に封止ピン１００が挿入可能な挿入孔７３、板部材７２に封止ピン１００が挿入可能な挿入切込み７４がそれぞれ２個ずつ設けられている。板部材７２の挿入切込み７４は十字形状に形成され、切込みの各片部分はケース体の内部方向に反り返っている。板部材７２を収容した取付台座部７１は、取付台座部のビス穴７１ｖとケース体６１のビス受け６５ｖとのねじによる取り付けにより、ケース体６１の台座固定部６５に固定される。こうして、ケース体のケース体封止部が組み立てられる。
【００２７】
次に、カバー体６２に着目すると、このカバー体６２に設けられているカバー体封止部８０には、図示の例では２個の保持筒部８１が備えられる。保持筒部８１内に封止ピン１００が挿入され、ここにキャップ１０１も押し込まれる。カバー体６２の左側（図示の封止手段ＳＡ側）の上面には、前出のＩＣタグ１１０が貼り付けられる貼付面部６６が設けられている。カバー体６２の下部には複数のフックｈが備えられ、ケース体６１の所定位置に嵌合して固定をより強固としている。符号６４はケース体の基板載置部であり、このリブ構造状の基板載置部の上部に前記の主制御基板５０が載置される。
【００２８】
図７は図５の矢印Ｌの拡大図でありカバー体封止部８０の詳細を示す。２個の保持筒部８１はカバー体６２の外側に突出して形成された２枚の保持壁部８４の間に配置される。保持筒部８１同士、及び保持筒部８１と保持壁部８４は、カバー体切断部８２により連結され、保持筒部８１はカバー体に固定される。このカバー体切断部８２はニッパ等の工具により切断または破壊可能な強度で構成されている。符号８５は保持筒部の内面部である。
【００２９】
ＩＣタグカバー（情報部材保護カバー）６３は、カバー体６２の貼付面部６６にＩＣタグ１１０が貼り付けられた後、このＩＣタグ１１０を覆うようにしてカバー体６２に取り付けられる。このＩＣタグカバーに保護カバー封止部９０が設けられている。また、当該ＩＣタグカバー６３とケース体６１及びカバー体６２との係合や位置決めをしやすくし、貼付面部６６の側面方向を保護するため、内側板部６７、内側板部６８も設けられている。
【００３０】
図８に示す保護カバー封止部９０の正面図から理解されるように、保護カバー封止部９０には３箇所の切込凹部９４が設けられ、保護カバー封止部９０は一部分でつながった２枚の封止片部材９１からなり、その中央部分に保護カバー挿入孔９３が形成される。切込凹部９４の末端部分には保護カバー切断部９２が設けられ、保護カバー切断部により２枚の封止片部材９１がＩＣタグカバー６３につながっていると共に、１つの保護カバー切断部９２を切断または破壊することにより１枚ずつ封止片部材９１を保護カバー封止部９０から分離することができる。封止片部材９１の保護カバー挿入孔９３には封止ピン１００が挿入される。保護カバー切断部９２もニッパ等の工具により切断または破壊可能な強度で構成されている。
【００３１】
図９の拡大縦断面図は、封止ピン（封止部材）１００が保護カバー封止部９０、ケース体封止部７０及びカバー体封止部８０に挿入され、ケース体６１、カバー体６２、ＩＣタグカバー（情報部材保護カバー）６３が封止固定された時の様子である。ケース体６１にカバー体６２が被着された後にＩＣタグカバー６３が所定位置に被せられる取り付けの順番である。
【００３２】
前出の図５，６にて説明したように、ケース体封止部７０の板部材７２は取付台座部７１を介してケース体６１側に固定され、カバー体封止部８０の保持筒部８１もカバー体６２と一体に接続されている。実施例の封止手段ＳＡの構造では、基板収容ボックスの外部側からその内部に向けて、つまり、カバー体封止部８０（保持筒部８１）から、保護カバー封止部９０（封止片部材９１）、ケース体封止部７０（取付台座部７１，板部材７２）に向けての順序である。このとき、ケース体封止部７０の挿入孔７３、保護カバー封止部９０の保護カバー挿入孔９３、並びにカバー体封止部８０の保持筒部８１は、封止ピン１００により串刺し状に貫通可能となるように、それぞれは同一直線上、あるいは略同一直線上（より詳細には同一直線と類似した曲線あるいは曲線の組み合わさった線あるいは方向の異なる直線の組み合わせた線上）に配置される。この配置が各々の封止部同士を封止可能とする位置である。
【００３３】
ケース体６１及びカバー体６２に各々設けられた封止部（ケース体封止部７０及びカバー体封止部８０）と、ＩＣタグカバーの保護カバー封止部９０とは、封止ピン１００により一体となる。各封止部同士は封止ピン１００により封止可能な位置である。この例によると、封止ピン１００が、ケース体封止部７０（取付台座部７１，板部材７２）の挿入孔７３，挿入切込み７４、保護カバー封止部９０の保護カバー挿入孔９３、及びカバー体封止部８０の保持筒部８１を貫通することにより、各々の封止部の封止が完了する。保護カバー封止部９０は、ケース体封止部７０及びカバー体封止部８０に対して封止される配置となる。そこで、封止ピン１００を介してケース体封止部７０及びカバー体封止部８０に保護カバー封止部９０が接続される。
【００３４】
封止ピン１００は頭部１０５と先端部１０４から構成され、先端部には環状凹溝部１０６が形成される。図９の断面図から理解されるように、板部材７２の十字形状の挿入切込み７４には、基板収容ボックスの内部側に反っている反り返り部７８が形成されている。反り返り部７８の反りの方向は封止ピンの挿入方向と同じであるため、封止ピンが挿入された場合、その先端部に形成された環状凹溝部１０６は反り返り部７８に引っかかる。従って、いったん封止ピン１００の先端部１０４が板部材７２の挿入切込み７４に到達すると、封止ピンは板部材７２から脱離することはなくなる。
【００３５】
また、保護カバー封止部９０の保護カバー挿入孔９３を封止ピン１００が貫通していることから、封止片部材９１を介してＩＣタグカバー６３もカバー体６２に被さる。図示よりよくわかるように、保持筒部８１の内面部８５にはさらに段差部８６が設けられ、ここに封止ピンの頭部１０５がはまる。封止ピンの頭部１０５により保持筒部８１の段差部８６が固定されるため、結果的に封止ピンは保持筒部８１を通じてカバー体６２をケース体６１側に固定することとなる。キャップ１０１が保持筒部８１内に押し込まれることにより、封止ピンの頭部１０５部分は保持筒部内に密閉される。このため、封止ピン１００に対する不正行為を低減することができる。併せて、ケース体、カバー体、情報部材保護カバーとの封止は一括して行うことができるため、個々の部材の封止に必要な部品数を削減することができ、別々に封止する場合に比べて封止に要する場所も少なくすることができる。
【００３６】
基板収容ボックス６０を開けようとして、ケース体６１からカバー体６２を外そうとする場合、はじめに、カバー体封止部８０のカバー体切断部８２が切断または破壊される（図５，６，７参照）。現在封止ピン１００が挿入されている側の保持筒部８１はカバー体６２から遊離される。続いて、保護カバー封止部９０の保護カバー切断部９２が切断または破壊される（図５，６，８参照）。現在封止ピン１００が挿入されている側の封止片部材９１はＩＣタグカバー６３から遊離され、これによってＩＣタグカバー６３はカバー体６２から分離される。また、前記の保持筒部８１がカバー体６２から外れることにより、ケース体６１とカバー体６２との合着も解除され、ケース体６１からカバー体６２の取り外しが可能となる。実施例のように、カバー体６２のカバー体切断部８２とＩＣタグカバー６３に形成された保護カバー切断部９２の両方の切断によりケース体６１とカバー体６２との封止状態が解除される。つまり、封止手段ＳＡとは、ケース体６１とカバー体６２の各々設けられた封止部（ケース体封止部７０、カバー体封止部８０）のうち、少なくともいずれか側の封止部を切断あるいは破壊することによりケース体６１とカバー体６２との封止状態を解除する封止構造である。
【００３７】
実施例の封止手段ＳＡの構造によると、基板収容ボックスに貼り付けられたＩＣタグの接触による破損のおそれを減らすことができる。同時に、不正を働く者が基板収容ボックスを開けて内蔵されている制御基板のＲＯＭを取り外してもとに戻そうとする場合、カバー体封止部８０のカバー体切断部８２及び保護カバー封止部９０の保護カバー切断部９２の両方を切断、破壊することになる。このため、切断や破壊の痕跡が残り、不正行為を早期に発見することができる。結果的に、不正行為に対する抑止力となり得る。
【００３８】
図３ないし図９にて詳述のとおり、封止部材１００の挿入によりケース体封止部７０、カバー体封止部８０、保護カバー封止部９０が封止状態となっている場合において、ケース体封止部７０、カバー体封止部８０、または保護カバー封止部９０の少なくとも一部、この例では、ケース体封止部７０の全体と保護カバー封止部９０の一部（封止されている部分）が当該基板収容ボックス６０内に設けられている。それぞれの封止部のうち少なくとも一部が基板収容ボックス内に収まることにより、封止部の保護性能は高まり、外部からの不正行為されにくくなる。特に、本実施例では、保護カバー封止部の封止されている部分がケース体封止部７０とカバー体封止部８０との間にほぼ密となるように配設されている。このため、保護カバー封止部の封止されている部分に不正を行おうとしてもケース体封止部７０とカバー体封止部８０に阻害されて不正を行い難くすることができる。
【００３９】
保護カバー封止部９０の一部とは保護カバー封止部の保護カバー切断部９２も含まれる。それにより、保護カバー切断部の切断は容易ではなくなり、カバー体とケース体の封止状態の解除も難しくなり、不正行為を減らすことができる。ここでいう少なくとも一部とは、ケース体封止部７０、カバー体封止部８０、及び保護カバー封止部９０のいずれかの封止部が基板収容ボックス６０内に設けられていることと、ケース体封止部７０、カバー体封止部８０、または保護カバー封止部９０を構成する部材の一部分が基板収容ボックス６０内に設けられていることの両方である。なお、ケース体封止部７０、カバー体封止部８０、及び保護カバー封止部９０の全てが基板収容ボックス６０内に設けられていてもよい。
【００４０】
図１０の断面図は、基板収容ボックス６０に対するＩＣタグ１１０の貼り付け位置の他の例に当たる。ＩＣタグ１１０（情報部材）は、ケース体６１の貼り付け面６１ｐ及びカバー体６２の貼り付け面６２ｐの両方に跨がって双方の面に貼り付けられている。そして、ＩＣタグカバー６３によりＩＣタグ１１０は被覆されている。符号６３ｑはＩＣタグカバーの内面部であり、適度な隙間を設けて、ＩＣタグカバー自体がＩＣタグに直に接触しないようにしている。図１０の例によると、ＩＣタグ１１０はケース体６１及びカバー体６２に跨っているため、不用意にケース体とカバー体を分離しようとする時に、ＩＣタグ自体にも損傷が生じやすい。例えば、ＩＣタグの印刷箇所の欠損、内蔵アンテナ配線の破断等があり、容易にＩＣタグに生じた異常を検知することができる。さらに、ＩＣタグカバーの存在により、ＩＣタグの保護性能も高めている。
【００４１】
なお、本発明は、開示の実施例に限定されるものではなく、発明の趣旨を逸脱しない範囲において構成の一部を適宜に変更して実施することができる。例えば、実施例のカバー体封止部、保護カバー封止部、ケース体封止部の構成は、２回までの封止を想定して保持筒部、封止片部材（保護カバー挿入孔）、取付台座部と板部材の挿入孔や挿入切込みの数を規定している。むろん、この数に限らず、２以上の適宜数とすることができる。また、実施例における切断部は、カバー体に設けられたカバー体切断部と、ＩＣタグカバー（情報部材保護カバー）に設けられた保護カバー切断部の２箇所としている。例えば、カバー体側の切断部を形成する代わりにケース体の側に切断部を設けることも可能である。この場合、ケース体封止部から、保護カバー封止部、カバー体封止部に向けての順序となる。
【００４２】
実施例のケース体、カバー体、及びＩＣタグカバー（情報部材保護カバー）を封止する封止手段の構成では、基板収容ボックスの側面方向から封止ピン（封止部材）を挿入する構造である。この他に、基板収容ボックスの上下方向から挿入とすることもでき、その数を増やすこともできる。また、実施例においては、封止部材をカバー体封止部、保護カバー封止部、ケース体封止部の順に挿入している。これに代えて、例えば、カバー体封止部−ケース体封止部−保護カバー封止部の順、保護カバー封止部−カバー体封止部−ケース体封止部の順、保護カバー封止部−ケース体封止部−カバー体封止部の順、ケース体封止部−カバー体封止部−保護カバー封止部の順に挿入するものであってもよい。
【００４３】
情報部材としてＩＣタグを例示し説明している。この他に、制御基板の管理情報（識別番号）を付したバーコード、マイクロＱＲコードやＱＲコード（登録商標）等も情報部材として用いることができる。封止部材も図示のリベット状の封止ピンの代わりに適宜形状の部材を用いることができる。
【００４４】
実施例では、パチンコ遊技機の基板収容ボックスとして説明したが、この他にスロットマシン、アレンジボール等の各種遊技機の基板収容ボックスとしての適用、さらには、券売機等の自動販売機、現金自動預け払い機、両替機、その他産業機械等の制御基板を収容する基板収容ボックスとしても適用することができる。
【図面の簡単な説明】
【００４５】
【図１】この発明の一実施例に係る遊技機全体の正面図である。
【図２】同遊技機全体の裏面図である。
【図３】基板収容ボックスの斜視図である。
【図４】図３の矢印Ｋ部分を示す拡大図である。
【図５】基板収容ボックスの第１分解斜視図である。
【図６】基板収容ボックスの第２分解斜視図である。
【図７】図５の矢印Ｌ部分を示す拡大図である。
【図８】保護カバー封止部の拡大図である。
【図９】基板収容ボックスの封止手段を示す主要部断面図である。
【図１０】情報部材を取り付ける位置の他の実施例に係る主要部断面図である。
【符号の説明】
【００４６】
１  遊技機
５０  主制御基板
６０  基板収容ボックス
６１  ケース体
６２  カバー体
６３  ＩＣタグカバー（情報部材保護カバー）
７０  ケース体封止部
７１  取付台座部
７２  板部材
７３  挿入孔
７４  挿入切込み
８０  カバー体封止部
８１  保持筒部８１
８２  カバー体切断部（切断部）
９０  保護カバー封止部
９１  封止片部材
９２  保護カバー切断部
９３  保護カバー挿入孔
１００  封止ピン（封止部材）
１１０  ＩＣタグ（情報部材）
ＳＡ  封止手段
【図１】
2010119565.tif 000003
【図２】
2010119565.tif 000004
【図３】
2010119565.tif 000005
【図４】
2010119565.tif 000006
【図５】
2010119565.tif 000007
【図６】
2010119565.tif 000008
【図７】
2010119565.tif 000009
【図８】
2010119565.tif 000010
【図９】
2010119565.tif 000011
【図１０】
2010119565.tif 000012